(57)【要約】【課題】衣類ハンガー用肩支持部【解決手段】衣類保持システムは、本体と、本体から延びて支持体からハンガーを吊り下げるフックと、本体から横方向にそれぞれの第１及び第２の遠位端へと延びる第１及び第２のアームとを有する、衣類ハンガーを含む。少なくとも１つのアームが、概して本体に向けて、アームの遠位端から概して反対の方向に方向付けされた表面法線を備えた付着部保持表面を有する。衣類保持付着部は、付着部保持表面と少なくとも１つのアームの遠位端との間に延びる。衣類保持付着部は、付着部保持表面と係合する第１手段と、少なくとも１つのアームの遠位端を係合する第２手段とを含む。衣類保持システムは、衣類保持付着部に、その上向きの側で摩擦増大表面特徴部を設けることによって、及び／又は衣類保持付着部の材料の賢明な選択によって、より優れたものになる。【選択図】      図１
2007222631.tif 000002
【特許請求の範囲】
【請求項１】
衣類保持システムであって、
本体と、前記本体から延びて支持部からハンガーを吊り下げるフックと、前記本体から横方向にそれぞれの第１及び第２の遠位端へと延びる第１及び第２のアームとを有する、衣類ハンガーであって、少なくとも１つのアームが、概して前記本体に向けて、概して前記少なくとも１つのアームの第１又は第２の遠位端から反対方向に方向付けされた表面法線を備えた付着部保持表面を有する、衣類ハンガーと、
前記少なくとも１つのアームの前記付着部保持表面と前記遠位端との間に延びる、衣類保持付着部であって、前記付着部保持表面と係合する第１貫通開口部と、前記少なくとも１つのアームの遠位端の少なくとも一部分を受けるように寸法決めされた第２貫通開口部と、前記付着部の下面に形成されて前記少なくとも１つのアームを受容する通路とを有する、衣類保持付着部と、
を備える、衣類保持システム。
【請求項２】
前記衣類ハンガーは、少なくとも１つのアームに凹部をさらに備え、前記付着部保持表面は凹部の末端壁を備える、請求項１に記載の衣類保持システム。
【請求項３】
前記少なくとも１つのアームは、前記凹部を少なくとも部分的に覆う、前記本体に向かって近位方向に延びる張出部をさらに備える、請求項２に記載の衣類保持システム。
【請求項４】
張出部が、前記少なくとも１つのアームの上方表面と連続し、前記付着部保持表面の上方限界に位置決めされている、請求項３に記載の衣類保持システム。
【請求項５】
前記付着部保持表面は、前記少なくとも１つのアームの前記上方表面からの上向き突出部によって形成されている、請求項１に記載の衣類保持システム。
【請求項６】
前記上向き突出部は、前記本体の方向に延びる部分をさらに備える、請求項５に記載の衣類保持システム。
【請求項７】
前記本体の方向に延びる部分は、前記上向き突出部の上方限界に位置決めされている、請求項６に記載の衣類保持システム。
【請求項８】
前記衣類ハンガーは、ポリスチレン、ＳＡＮ、ＡＢＳ、ＰＰＯ、ナイロン、ポリプロピレン（ＰＰ）、ポリエチレン、ＰＥＴ、ポリカーボネート（ＰＣ）、アクリル類、Ｋ樹脂、及びポリ塩化ビニル（ＰＶＣ）のうちの１つ又は複数から選択される、射出成形プラスチックを備える、請求項１に記載の衣類保持システム。
【請求項９】
前記衣類保持付着部は、エチレンビニルアセテート（ＥＶＡ）、低密度ポリエチレン、ポリ塩化ビニル（ＰＶＣ）、熱可塑性エラストマー、及び熱可塑性ゴムのうちの１つ又は複数から選択される材料を備える、請求項１に記載の衣類保持システム。
【請求項１０】
前記衣類保持付着部は、前記衣類保持付着部の上向きの側に摩擦増大表面特徴部を備える、請求項１に記載の衣類保持システム。
【請求項１１】
前記摩擦増大表面特徴部は、前記衣類保持付着部の上向きの側に、１つ又は複数の凹部及び隆起構造物を備える、請求項１０に記載の衣類保持システム。
【請求項１２】
前記摩擦増大表面特徴部は、前記衣類保持付着部の前記上向きの側に、１つ又は複数のリブ、尾根、又は窪みを備える、請求項１０に記載の衣類保持システム。
【請求項１３】
前記摩擦増大表面特徴部は、１つ又は複数の横断方向、縦方向、斜め、梯形、山形、杉綾、又は窪み模様で構成されている、請求項１０に記載の衣類保持システム。
【請求項１４】
前記摩擦増加表面特徴部は、規則的、半規則的、又は無作為的に間隔を置いて構成されている、請求項１０に記載の衣類保持システム。
【請求項１５】
前記衣類保持付着部は、前記付着部から下向きに、前記衣類保持付着部の少なくとも一方の側縁に沿って延びる下方フランジをさらに備える、請求項１に記載の衣類保持システム。
【請求項１６】
前記付着部から下向きに、前記衣類保持付着部の少なくとも一方の側縁に沿って延びる前記下方フランジは、前記付着部から下向きに、前記衣類保持付着部の各側縁に沿って延びる２つの下方フランジを備え、前記２つの下方フランジは、前記付着部の下面に形成された通路を画定する、請求項１５に記載の衣類保持システム。
【請求項１７】
前記衣類保持付着部は、前記第１及び第２貫通開口部のいずれか又は両方用の補強グロメットをさらに備える、請求項１に記載の衣類保持システム。
【請求項１８】
前記補強グロメットの少なくとも１つが、衣類保持付着部と同じ材料から、前記衣類保持付着部と一体的に成形されている、請求項１７に記載の衣類保持システム。
【請求項１９】
前記衣類保持付着部の幅がこの長さに沿って変化する、請求項１に記載の衣類保持システム。
【請求項２０】
前記少なくとも１つのアームは第１及び第２のアームを備える、請求項１に記載の衣類保持システム。
【請求項２１】
衣類保持システムであって、
本体と、前記本体から延びて支持部からハンガーを吊り下げるフックと、前記本体から横方向にそれぞれの第１及び第２の遠位端へと延びる第１及び第２のアームとを有する、衣類ハンガーであって、少なくとも１つのアームが、概して前記本体に向けて、概して前記少なくとも１つのアームの第１又は第２の遠位端から反対方向に方向付けされた表面法線を備えた付着部保持表面を有する、衣類ハンガーと、
前記少なくとも１つのアームの前記付着部保持表面と前記遠位端との間に延びる、衣類保持付着部であって、前記衣類保持付着部の近位部分の下面に、前記付着部保持表面と係合する第１ポケットと、前記衣類保持付着部の遠位部分の下面に、前記少なくとも１つのアームの遠位端と係合する第２ポケットと、前記少なくとも１つのアームを受容する、前記付着部の下面に形成された通路とを有する、衣類保持付着部と、
を備える、衣類保持システム。
【請求項２２】
前記衣類保持付着部は、エチレンビニルアセテート（ＥＶＡ）、低密度ポリエチレン、ポリ塩化ビニル（ＰＶＣ）、熱可塑性エラストマー、及び熱可塑性ゴムのうちの１つ又は複数から選択される材料を備える、請求項２１に記載の衣類保持システム。
【請求項２３】
前記衣類保持付着部は、衣類保持付着部の上向きの側に摩擦増大表面特徴部を備える、請求項２１に記載の衣類保持システム。
【請求項２４】
前記摩擦増大表面特徴部は、前記衣類保持付着部の上向きの側に、１つ又は複数の凹部及び隆起構造物を備える、請求項２３に記載の衣類保持システム。
【請求項２５】
前記摩擦増大表面特徴部は、前記衣類保持付着部の上向きの側に、１つ又は複数のリブ、尾根、又は窪みを備える、請求項２３に記載の衣類保持システム。
【請求項２６】
前記摩擦増大表面特徴部は、１つ又は複数の横断方向、縦方向、斜め、梯形、山形、杉綾、又は窪み模様で構成されている、請求項２３に記載の衣類保持システム。
【請求項２７】
前記摩擦増大表面特徴部は、規則的、半規則的、又は無作為的に間隔を置いて構成されている、請求項２３に記載の衣類保持システム。
【請求項２８】
前記衣類保持付着部は、前記付着部から下向きに、前記衣類保持付着部の少なくとも一方の側縁に沿って延びる下方フランジをさらに備える、請求項２１に記載の衣類保持システム。
【請求項２９】
前記付着部から下向きに、前記衣類保持付着部の少なくとも一方の側縁に沿って延びる前記下方フランジが、前記付着部から下向きに、前記衣類保持付着部の各側縁に沿って延びる２つの下方フランジを備え、前記２つの下方フランジは、前記付着部の下面に形成された通路を画定する、請求項２８に記載の衣類保持システム。
【請求項３０】
衣類保持付着部の幅が、この長さに沿って変化する、請求項２１に記載の衣類保持システム。
【請求項３１】
衣類保持システムであって、
本体と、前記本体から延びて支持体からハンガーを吊り下げるフックと、前記本体から横方向にそれぞれの第１及び第２の遠位端へと延びる第１及び第２のアームとを有する、衣類ハンガーであって、少なくとも１つのアームが、衣類保持付着部を保持する手段を有する、衣類ハンガーと、
衣類保持付着部を保持する手段と前記少なくとも１つのアームの遠位端との間に延びる、衣類保持付着部であって、前記衣類保持付着部を保持する手段と係合する第１手段と、前記少なくとも１つのアームの前記遠位端と係合する第２手段と、前記付着部の下面に、前記少なくとも１つのアームを受容する手段とを有する、衣類保持付着部と、
を備える、衣類保持システム。
【請求項３２】
前記衣類ハンガーは、前記少なくとも１つのアームに凹部をさらに備え、衣類保持付着部を保持する手段が前記凹部の遠心壁を備える、請求項３１に記載の衣類保持システム。
【請求項３３】
前記少なくとも１つのアームは、凹部を少なくとも部分的に覆う、本体に向かって近位方向に延びる張出部をさらに備える、請求項３２に記載の衣類保持システム。
【請求項３４】
前記張出部は、前記少なくとも１つのアームの前記上方表面と連続し、前記付着部保持表面の上方限界に位置決めされている、請求項３３に記載の衣類保持システム。
【請求項３５】
前記衣類保持付着部を保持する手段は、前記少なくとも１つのアームの前記上方表面からの上向き突出部を備える、請求項３１に記載の衣類保持システム。
【請求項３６】
前記衣類保持付着部を保持する手段は、本体の方向に延びる要素を備える、請求項３１に記載の衣類保持システム。
【請求項３７】
前記本体の方向に延びる要素は、上向き突出部の上方限界に位置決めされている、請求項３６に記載の衣類保持システム。
【請求項３８】
前記衣類ハンガーは、ポリスチレン、ＳＡＮ、ＡＢＳ、ＰＰＯ、ナイロン、ポリプロピレン（ＰＰ）、ポリエチレン、ＰＥＴ、ポリカーボネート（ＰＣ）、アクリル類、Ｋ樹脂、及びポリ塩化ビニル（ＰＶＣ）のうちの１つ又は複数から選択される、射出成形プラスチックを備える、請求項３１に記載の衣類保持システム。
【請求項３９】
前記衣類保持付着部は、エチレンビニルアセテート（ＥＶＡ）、低密度ポリエチレン、ポリ塩化ビニル（ＰＶＣ）、熱可塑性エラストマー、及び熱可塑性ゴムのうちの１つ又は複数から選択される材料を備える、請求項３１に記載の衣類保持システム。
【請求項４０】
前記衣類保持付着部は、前記衣類保持付着部の上向きの側に表面摩擦を増大する手段を備える、請求項３１に記載の衣類保持システム。
【請求項４１】
前記表面摩擦を増大する手段は、前記衣類保持付着部の上向きの側に１つ又は複数の凹部及び隆起構造物を備える、請求項４０に記載の衣類保持システム。
【請求項４２】
前記表面摩擦を増大する手段は、衣類保持付着部の上向きの側に、１つ又は複数のリブ、尾根、又は窪みを備える、請求項４０に記載の衣類保持システム。
【請求項４３】
前記表面摩擦を増大する手段は、１つ又は複数の横断方向、縦方向、斜め、雁行、山形、杉綾、及び窪み模様で構成されている、請求項４０に記載の衣類保持システム。
【請求項４４】
前記表面摩擦を増大する手段は、規則的、半規則的、又は無作為的に間隔を置いて構成されている、請求項４０に記載の衣類保持システム。
【請求項４５】
前記衣類保持付着部は、前記衣類保持付着部の側方変位に抵抗する手段をさらに備える、請求項３１に記載の衣類保持システム。
【請求項４６】
衣類ハンガーで使用する衣類保持付着部であって、前記衣類ハンガーのアームの長さに沿った不連続部で前記衣類ハンガーと係合する第１手段と、前記衣類ハンガーの前記アームの遠位端と係合する第２手段と、付着部の下面で前記衣類ハンガーのアームを受容する手段とを有する、衣類保持付着部。
【請求項４７】
前記付着部の下面で前記衣類ハンガーのアームを受容する前記手段は、前記付着部から下向きに衣類保持付着部の２つの側縁に沿って延びる下方フランジと、これらの間で通路を形成する２つの下方フランジとを備える、請求項４６に記載の衣類保持付着部。
【発明の詳細な説明】
【技術分野】
【０００１】
本発明は一般に衣類の分野に関し、より詳しくは、取り扱い中、移送中に上半身衣類を吊り下げるための、また小売販売用フロアで陳列するためのハンガーに関する。
【背景技術】
【０００２】
衣類小売販売の分野では、いわゆるガーメント・オン・ハンガー（ＧＯＨ）プログラムが小売業者に好まれている。ＧＯＨプログラムでは、衣類が製造場所で製造業者によってハンガーに吊り下げられ、小売商人などに発送される。小売場所に到着すると、衣類は直ちに販売用に陳列して配置される。以前は、小売業者は、自身の費用でまかなわれた労働力によって、衣類をハンガーに吊り下げる作業を遂行していた。
【０００３】
ＧＯＨプログラムの少なくとも１つの欠点は、取り扱い中、移送中、積み荷中、又は陳列中に衣類がそれぞれのハンガーから不注意で外れてしまう場合があるという事実である。このように外れた衣類は当然ながら、床、地面、又はこれらの発送用コンテナの底に落ち、また汚れ、損傷し、又はその他の理由で販売に適さなくなる場合がある。したがって、衣類をしっかりと吊り下げて保持するハンガーが望ましい。
【０００４】
この目的に向けて、特に、例えばシャツ、ブラウス、セーター、ジャケット、コートなどの上半身用衣類のためのハンガーに関しては、衣類保持力を高める一体化された特徴部を有するある種のハンガーが提案されている。これは、例えばニットウェアセーターなどの本質的に重い衣類に対処するときに特に厳しい。このようなハンガーが、本発明者によって出願番号第１０／９８７，７１６号で２００４年１１月１２日に出願され、本出願と同一出願人による、２００５年６月３０日に公開された「ニットウェア用ハンガー（Ｋｎｉｔｗｅａｒ  Ｈａｎｇｅｒ）」という名称の米国特許出願公開第２００５／１３９６２５号で開示されている。上記出願の開示の全ては、あらゆる目的のために参照してここに組み込まれる。
【特許文献１】米国特許出願公開第２００５／１３９６２５号明細書
【特許文献２】米国意匠特許第５０７，４１９号
【発明の開示】
【発明が解決しようとする課題】
【０００５】
一方、ニットウェア用ハンガーなどのハンガーは、効果的を発揮するために、これらの重要な特徴を備えて製造しなければならない。衣類を保持するための適切な措置のない多数のハンガーを、これらの特性を向上させるように改造することのできる、ハンガー上での衣類保持力を高めるシステムを有することができれば有利である。さらに、このようなシステムの構成部品が低コストで、製造、取り扱い、組み立てが簡単である、ハンガー上での衣類保持特性を高めるシステムを有することができれば有利である。
【課題を解決するための手段】
【０００６】
したがって、従来技術のこれら及び他の欠点を克服するために、本発明によって、本体と、本体から延びて支持部からハンガーを吊り下げるフックと、本体から横方向にそれぞれの第１及び第２の遠位端へと延びる第１及び第２のアームとを有する衣類ハンガーを含む、衣類保持システムが提供される。少なくとも１つのアームは、概して本体に向けて、概して少なくとも１つのアームの遠位端から反対方向に方向付けされた表面法線を備えた、付着部保持表面を有する。衣類保持付着部は、少なくとも１つのアームの付着部保持表面と遠位端との間に延びる。衣類保持付着部は、付着部保持表面と係合する第１手段と、少なくとも１つのアームの遠位端と係合する第２手段とを含む。
【０００７】
衣類保持システムは、衣類保持付着部に、これの上向きの側に摩擦増大表面の特徴部を設けることによってさらに優れたものとなる。摩擦増大表面の特徴部は、衣類保持付着部の上向きの側の凹部又は隆起構造物のいずれかを含むことができる。摩擦増加表面の特徴部は、規則的、半規則的、又は無作為的に間隔が置かれた、リブ、尾根、又は窪みであってよく、横断方向、縦方向、斜め、雁行、山形、杉綾、又は窪み模様のいずれにでも構成することができる。衣類保持付着部は、付着部から、側縁のいずれか又は両方に沿って下向きに延びる下方フランジも含むことができる。
【０００８】
本発明のこれら及び他の特徴、利得、及び利点が、以下の詳しい説明及び添付図面を参照すれば明らかとなり、ここではいくつかの図面を通して、同様の参照番号は同様の構造物を指す。
【発明を実施するための最良の形態】
【０００９】
次に図１を参照すると、本発明の例示的実施形態による、全体として１０とする衣類保持システムの正面図を示している。保持システム１０は少なくとも衣類ハンガー２０と付着部分４０とを含む。衣類ハンガー２０は、支持部からハンガー２０を吊り下げるフック２２と、本体２４から離れて遠位端２７、２９へと延びる２つのアーム２６、２８を有する本体２４とを少なくとも含む、上半身衣類用の従来型ハンガーでもよい。アーム２６、２８は本体から下向きに勾配が付けられて、保持特性の向上の必要性を増すが、これは本発明にとって必須ではない。
【００１０】
各アーム２６、２８は上向きの表面に凹部３０を含み、また、少なくとも部分的に凹部３０を覆う、凹部３０の遠位側から本体２４に向かって近位方向に延びる、いくつかの張出部３２を含むことができる。より一般的には、各アーム２６、２８は、付着部保持表面３４であって、表面法線３６、即ちこの表面から垂直に延びる、概して本体２４の方向に、それぞれの遠位端２７、２９から反対の方向に配向されたベクトルを有する、付着部保持表面３４を提示する。好ましい実施形態では、表面３４は、アーム２６、２８の上方表面の上の突出部を回避するような、凹部３０の壁である。概して上述のような衣類ハンガー２０は、例えば２００５年７月１９日に本発明者に対して発行された、本出願と同一出願人による、米国意匠特許第５０７，４１９号などから当技術分野で知られているが、その開示の全ては、あらゆる目的のために参照してここに組み込まれる。
【００１１】
しかし、適用可能な場合、例えば特に広いネックを有する上半身衣類を吊るすために、又は吊るされている衣類の素材が上向きの突出部が問題にならないようなものである場合、またハンガー２０のアーム２６、２８に凹部３０が設けられていない場合、付着部保持表面３４は、アーム２６、２８の上側表面からの上向き突出部６２（図４参照）によって形成することができる。このような上向きの突出部６２は、好ましくは張出部３２と同様のやり方で上向き突出部６２の上方の限界から、あるいは代替方法として上方突出部６２に関連付けられた任意の場所から、本体２４の方向に延びる部分６４を含むことができる。
【００１２】
例示的実施形態では、フック２２は、上部に取り付けられた指示部を受容し、保持するための保持クリップ３８を有する上向きフランジ３７を含む（図示せず）。しかし、側方指示部、下方ネック指示部、又は指示部無しなどの、他の指示部構成も使用することができる。
【００１３】
次に図２を参照すると、ハンガー２０から脱離され、全面的に延ばされた付着部分４０の平面図を示してある。付着部４０は、この一方端に、ハンガー２０の保持表面３４と係合する貫通開口部４２を含む。付着部４０の他方端では、第２の貫通開口部４４が、ハンガーアーム２６、２８の遠位端２７、２９の少なくとも一部分を受けるように寸法決めされて、遠位端２７、２９と係合する。付着部４０は、少なくともある程度の弾性を有する、保持表面３４と遠位端２７、２９との間に伸張される材料から形成されることが好ましい。
【００１４】
この産業で典型的である通り、衣類ハンガー２０は、射出成形プラスチック、より一般的には、とりわけポリスチレン、ＳＡＮ、ＡＢＳ、ＰＰＯ、ナイロン、ポリプロピレン（ＰＰ）、ポリエチレン、ＰＥＴ、ポリカーボネート（ＰＣ）、アクリル類、Ｋ樹脂、及びポリ塩化ビニル（ＰＶＣ）などの、剛質プラスチックから形成することができる。このような剛質プラスチック材料は、特に摩擦を高めるように成形されていない限り、比較的低摩擦の表面を呈する。したがって、好ましい実施形態のように、付着部４０がある程度の弾性を有する材料、例えばエチレンビニルアセテート（ＥＶＡ）、低密度ポリエチレン、ＰＶＣ、熱可塑性エラストマー、又は熱可塑性ゴム（例えばＫＲＡＴＯＮという商標名で販売されている材料）を備える場合、付着部４０の弾性材料は、基部ハンガー２０よりも大きな摩擦係数を呈する。この高摩擦材料はそれ自体で衣類ハンガー２０の保持特性を高める。
【００１５】
代替方法又は追加として、付着部分４０は、付着部４０の摩擦をさらに高めるために、上向きの側に表面特徴部４６を含むことができる。ここに示す実施形態では、隆起リブ４８は、部分的又は完全に付着部４０の幅を横断する。さらに、尾根５０が付着部４０の長さにわたり、その側縁に沿って延在する。代替的実施形態では、表面特徴部４６は、例示的実施形態の隆起構造物の代わりに、又はこれに加えて凹部を備えることができる。表面特徴部４６は、以下に限定はされないが、規則的、半規則的、又は無作為的に間隔が置かれた、横断方向、縦方向、斜め、梯形、山形、杉綾、又は窪み模様を含む、所望の任意の幾何学的形状又は構造として構成することができる。
【００１６】
例示的実施形態では、付着部４０は、任選択の特徴部として、同様な形状のハンガー２０を収容するように、この近位部分の第２幅５４よりも広い第１幅５２をこの遠位部分に有する。次に図３の縦断面図を参照すると、付着部４０は、任意選択の特徴部として、付着部４０から側縁のいずれか又は両方に沿って下向きに延びる下方フランジ５６も有する。存在する場合、下方フランジは、付着部４０のハンガー２０のアーム２６、２８からの側方変位に対して抵抗する。
【００１７】
フランジ５６は、付着部４０の両方の側縁から延びて、付着部４０の下面の通路５８を形成することが好ましい。通路５８はこれ自体の中に側方アーム２６、２８を受容し、より好ましくは側方アーム２６、２８上で付着部４０を中心に配置する。したがって、この付着部は側方アーム２６、２８に安定して取り付けられ、相対的な移動に抵抗する。
【００１８】
例えば図４に示す、衣類保持付着部４０ａの代替的実施形態では、貫通開口部４２、４４のいずれか又は両方を、下向きに延びる、任意には付着部４０ａの中心に向かって延びる、リップ４１によって無くすことができ、そのようにして付着部４０ａのそれぞれの端にポケット４３を形成する。ポケット４３は、付着部４０ａをハンガー２０に固定するために、近位端で保持表面３４と係合するように、又は遠位端で遠位端２７、２９と係合するように寸法決めされ、位置決めされている。
【００１９】
本発明を特定の例示的実施形態を参照して以上に述べた。本開示に照らして、様々な代替形態及び／又は修正形態が当業者に明らかであろう。したがって、これらの実施形態は、添付請求項によってのみ規定される本発明の範囲を単に例示するものとして、限定するものとしてではなく、ここに提示する。
【図面の簡単な説明】
【００２０】
【図１】本発明の例示的実施形態による衣類保持システムの正面図である。
【図２】本発明による衣類保持システムの付着部分の上面図である。
【図３】図２の線３−３に沿った付着部分の断面図である。
【図４】本発明の代替的実施形態による衣類保持システムの正面図である。
【符号の説明】
【００２１】
１０  衣類保持システム
２０  衣類ハンガー
２２  フック
２４  本体
２６、２８  アーム
２７、２９  遠位端
３０  凹部
３２  張出部
３４  付着部保持表面
３６  表面法線
３７  上向きフランジ
３８  保持クリップ
４０  付着部
４２、４４  貫通開口部
４６  表面特徴部
４８  隆起リブ
５０  尾根
５２  近位部分の第１幅
５４  近位部分の第２幅
５６  下方フランジ
５８  通路
６２  突出部
【図１】
2007222631.tif 000003
【図２】
2007222631.tif 000004
【図３】
2007222631.tif 000005
【図４】
2007222631.tif 000006
【外国語明細書】
2007222631000001.pdf